(57)【要約】【課題】より精度良く情報伝送の際のノイズを監視することが可能な送受信装置、送受信方法及びプログラムを提供する。【解決手段】抽出部１２は、受信した音声音響信号に係る左音声データ及び右音声データを抽出する。ＨＰＦ１１０は、これら抽出した左音声データ及び右音声データから所定周波数以上の周波数成分を抽出する。加算部１４１は、抽出された周波数成分に係る左音声データ及び右音声データの時系列の和信号に関する値を算出し、算出した値の所定時間分の累積加算値に基づく加算データを算出する。減算部１４２は、抽出された周波数成分に係る左音声データ及び右音声データの時系列の差信号に関する値を算出し、算出した値の所定時間分の累積加算値に基づく減算データを算出する。この加算データ及び減算データはメタデータとして付加部１７により音声データに付加される。【選択図】図２
2010091980.tif 000002
【特許請求の範囲】
【請求項１】
音声音響信号を受信し、受信した音声音響信号を送信する送受信装置において、
受信した音声音響信号に係る第１音声音響信号及び第２音声音響信号を抽出する抽出部と、
該抽出部により抽出した第１音声音響信号及び第２音声音響信号から所定周波数以上の周波数成分を抽出するハイパスフィルタと、
該ハイパスフィルタにより抽出された周波数成分に係る第１音声音響信号及び第２音声音響信号の時系列の和信号に関する値を算出し、算出した値の所定時間分の累積加算値に基づく加算データを算出する加算部と、
前記ハイパスフィルタにより抽出された周波数成分に係る第１音声音響信号及び第２音声音響信号の時系列の差信号に関する値を算出し、算出した値の所定時間分の累積加算値に基づく減算データを算出する減算部と、
前記加算部及び減算部により算出した加算データ及び減算データをメタデータとして受信した音声音響信号に付加する付加部と、
該付加部によりメタデータが付加された音声音響信号を外部へ送信する送信部と
を備えることを特徴とする送受信装置。
【請求項２】
前記加算部により算出された加算データ及び前記減算部により算出された減算データを、所定の下限値及び上限値に基づき変換する変換部を備え、
前記付加部は、
前記変換部により変換された加算データ及び減算データをメタデータとして受信した音声音響信号に付加するよう構成してある
ことを特徴とする請求項１に記載の送受信装置。
【請求項３】
前記変換部は、
前記加算部により算出された加算データ及び前記減算部により算出された減算データの絶対値の内、前記下限値よりも小さい加算データ及び減算データを零へ変換し、前記上限値を超える加算データ及び減算データの絶対値を前記上限値または上限値未満の値へ変換した後、絶対値算出前の符号を変換後の加算データ及び減算データに付加する上下限変換部と、
加算データ及び減算データを整数へ変換する整数変換部と
を備えることを特徴とする請求項２に記載の送受信装置。
【請求項４】
前記下限値は３、前記上限値は２５５である
ことを特徴とする請求項３に記載の送受信装置。
【請求項５】
音声音響信号を受信し、受信した音声音響信号を送信する送受信装置において、
受信した音声音響信号に係る第１音声音響信号及び第２音声音響信号を抽出する抽出部と、
該抽出部により抽出した第１音声音響信号及び第２音声音響信号から所定周波数以上の周波数成分を抽出するハイパスフィルタと、
該ハイパスフィルタにより抽出された周波数成分に係る第１音声音響信号の時系列の第１実効値を算出する第１実効値算出部と、
前記ハイパスフィルタにより抽出された周波数成分に係る第２音声音響信号の時系列の第２実効値を算出する第２実効値算出部と、
前記第１実効値算出部及び第２実効値算出部により算出した第１実効値及び第２実効値をメタデータとして受信した音声音響信号に付加する付加部と、
該付加部によりメタデータが付加された音声音響信号を外部へ送信する送信部と
を備えることを特徴とする送受信装置。
【請求項６】
前記第１実効値算出部にて算出した第１実効値及び前記第２実効値算出部で算出した第２実効値の対数に基づき変換する変換部を備え、
前記付加部は、前記変換部により変換された対数に係る第１実効値及び第２実効値をメタデータとして受信した音声音響信号に付加するよう構成してある
ことを特徴とする請求項５に記載の送受信装置。
【請求項７】
前記所定周波数は２０Ｈｚである
ことを特徴とする請求項１または６に記載の送受信装置。
【請求項８】
前記抽出部は、
受信した音声音響信号が第１音声音響信号及び第２音声音響信号を超える複数種類の音声音響信号を有する場合、該複数種類の音声音響信号を第１音声音響信号及び第２音声音響信号へ変換するよう構成してある
ことを特徴とする請求項１または６に記載の送受信装置。
【請求項９】
音声音響信号を送受信装置にて受信し、受信した音声音響信号を前記送受信装置から外部へ送信する送受信方法において、
受信した音声音響信号に係る第１音声音響信号及び第２音声音響信号を抽出する抽出ステップと、
該抽出ステップにより抽出した第１音声音響信号及び第２音声音響信号から所定周波数以上の周波数成分を抽出する成分抽出ステップと、
該成分抽出ステップにより抽出された周波数成分に係る第１音声音響信号及び第２音声音響信号の時系列の和信号に関する値を算出し、算出した値の所定時間分の累積加算値に基づく加算データを算出する加算ステップと、
前記成分抽出ステップにより抽出された周波数成分に係る第１音声音響信号及び第２音声音響信号の時系列の差信号に関する値を算出し、算出した値の所定時間分の累積加算値に基づく減算データを算出する減算ステップと、
前記加算ステップ及び減算ステップにより算出した加算データ及び減算データをメタデータとして受信した音声音響信号に付加する付加ステップと、
該付加ステップによりメタデータが付加された音声音響信号を外部へ送信する送信ステップと
を含むことを特徴とする送受信方法。
【請求項１０】
音声音響信号を送受信装置にて受信し、受信した音声音響信号を前記送受信装置から外部へ送信する送受信方法において、
受信した音声音響信号に係る第１音声音響信号及び第２音声音響信号を抽出する抽出ステップと、
該抽出ステップにより抽出した第１音声音響信号及び第２音声音響信号から所定周波数以上の周波数成分を抽出する成分抽出ステップと、
該成分抽出ステップにより抽出された周波数成分に係る第１音声音響信号の時系列の第１実効値を算出する第１実効値算出ステップと、
前記成分抽出ステップにより抽出された周波数成分に係る第２音声音響信号の時系列の第２実効値を算出する第２実効値算出ステップと、
前記第１実効値算出ステップ及び第２実効値算出ステップにより算出した第１実効値及び第２実効値をメタデータとして受信した音声音響信号に付加する付加ステップと、
該付加ステップによりメタデータが付加された音声音響信号を外部へ送信する送信ステップと
を含むことを特徴とする送受信方法。
【請求項１１】
音声音響信号を受信して外部へ該音声音響信号を送信するコンピュータに用いられるプログラムにおいて、
コンピュータに、
受信した音声音響信号に係る第１音声音響信号及び第２音声音響信号を抽出する抽出ステップと、
該抽出ステップにより抽出した第１音声音響信号及び第２音声音響信号から所定周波数以上の周波数成分を抽出する成分抽出ステップと、
該成分抽出ステップにより抽出された周波数成分に係る第１音声音響信号及び第２音声音響信号の時系列の和信号に関する値を算出し、算出した値の所定時間分の累積加算値に基づく加算データを算出する加算ステップと、
前記成分抽出ステップにより抽出された周波数成分に係る第１音声音響信号及び第２音声音響信号の時系列の差信号に関する値を算出し、算出した値の所定時間分の累積加算値に基づく減算データを算出する減算ステップと、
前記加算ステップ及び減算ステップにより算出した加算データ及び減算データをメタデータとして受信した音声音響信号に付加する付加ステップと、
該付加ステップによりメタデータが付加された音声音響信号を外部へ送信する送信ステップと
を実行させるプログラム。
【請求項１２】
音声音響信号を受信して外部へ該音声音響信号を送信するコンピュータに用いられるプログラムにおいて、
コンピュータに、
受信した音声音響信号に係る第１音声音響信号及び第２音声音響信号を抽出する抽出ステップと、
該抽出ステップにより抽出した第１音声音響信号及び第２音声音響信号から所定周波数以上の周波数成分を抽出する成分抽出ステップと、
該成分抽出ステップにより抽出された周波数成分に係る第１音声音響信号の時系列の第１実効値を算出する第１実効値算出ステップと、
前記成分抽出ステップにより抽出された周波数成分に係る第２音声音響信号の時系列の第２実効値を算出する第２実効値算出ステップと、
前記第１実効値算出ステップ及び第２実効値算出ステップにより算出した第１実効値及び第２実効値をメタデータとして受信した音声音響信号に付加する付加ステップと、
該付加ステップによりメタデータが付加された音声音響信号を外部へ送信する送信ステップと
を実行させるプログラム。
【発明の詳細な説明】
【技術分野】
【０００１】
本発明は、音声音響信号を送受信装置にて受信し、受信した音声音響信号を前記送受信装置から外部へ送信する送受信装置、送受信方法及びプログラムに関する。
【背景技術】
【０００２】
デジタル放送においては変調された情報がキー局から、複数の中継局を経てユーザのチューナに伝送される。情報伝送の際、通信路にて各種ノイズが混入する場合があることから、この影響を低減するために誤り訂正技術等が採用されている（例えば、特許文献１、２参照）。また、ＭＰ３（MPeg-1 audio layer 3）、ＡＡＣ（Advanced Audio Codec）またはdolby-E（登録商標）等の高能率符号化方法として、チャンネル間の相関を利用したＭ/Ｓstereo技術等が採用されている。（例えば、非特許文献１、２参照）
【特許文献１】特開平９-１８５０７公報
【特許文献２】特開平１-２２８３３３公報
【非特許文献１】ＩＳＯ／ＩＥＣ  １１１７２−３
【非特許文献２】ＩＳＯ／ＩＥＣ  １３８１８−７
【発明の開示】
【発明が解決しようとする課題】
【０００３】
しかしながら、情報伝送の際にはランダムノイズまたはバーストノイズ等の各種ノイズの影響を受ける可能性がある。映像データのみならず音声データについてもノイズ等の影響を伝送路中で受けることがあり、これを簡易な処理でかつ効果的に検知する必要があった。また伝送の際にはdolby-E等の各種形式により符号化及び復号処理がなされるが、この符号化及び復号処理に起因する量子化ノイズまたは演算誤差等を、誤って伝送障害ノイズとして検出するという問題もあった。なお、特許文献１及び２並びに非特許文献１及び２には当該問題を解決するための手段が記載されていない。
【０００４】
本発明は斯かる事情に鑑みてなされたものであり、その目的は符号化及び復号処理に伴う成分を除去した上でメタデータを音声音響信号に付加することにより、より精度良く情報伝送の際のノイズを監視することが可能な送受信装置、送受信方法及びプログラムを提供することにある。
【課題を解決するための手段】
【０００５】
本願に開示の送受信装置は、音声音響信号を受信し、受信した音声音響信号を送信する送受信装置において、受信した音声音響信号に係る第１音声音響信号及び第２音声音響信号を抽出する抽出部と、該抽出部により抽出した第１音声音響信号及び第２音声音響信号から所定周波数以上の周波数成分を抽出するハイパスフィルタと、該ハイパスフィルタにより抽出された周波数成分に係る第１音声音響信号及び第２音声音響信号の時系列の和信号に関する値を算出し、算出した値の所定時間分の累積加算値に基づく加算データを算出する加算部と、前記ハイパスフィルタにより抽出された周波数成分に係る第１音声音響信号及び第２音声音響信号の時系列の差信号に関する値を算出し、算出した値の所定時間分の累積加算値に基づく減算データを算出する減算部と、前記加算部及び減算部により算出した加算データ及び減算データをメタデータとして受信した音声音響信号に付加する付加部と、該付加部によりメタデータが付加された音声音響信号を外部へ送信する送信部とを備える。
【０００６】
本願に開示の送受信装置は、前記加算部により算出された加算データ及び前記減算部により算出された減算データを、所定の下限値及び上限値に基づき変換する変換部を備え、前記付加部は、前記変換部により変換された加算データ及び減算データをメタデータとして受信した音声音響信号に付加するよう構成してある。
【０００７】
本願に開示の送受信装置は、前記変換部は、前記加算部により算出された加算データ及び前記減算部により算出された減算データの絶対値の内、前記下限値よりも小さい加算データ及び減算データを零へ変換し、前記上限値を超える加算データ及び減算データの絶対値を前記上限値または上限値未満の値へ変換した後、絶対値算出前の符号を変換後の加算データ及び減算データに付加する上下限変換部と、加算データ及び減算データを整数へ変換する整数変換部とを備える。
【０００８】
本願に開示の送受信装置は、前記下限値は３、前記上限値は２５５である。
【０００９】
本願に開示の送受信装置は、音声音響信号を受信し、受信した音声音響信号を送信する送受信装置において、受信した音声音響信号に係る第１音声音響信号及び第２音声音響信号を抽出する抽出部と、該抽出部により抽出した第１音声音響信号及び第２音声音響信号から所定周波数以上の周波数成分を抽出するハイパスフィルタと、該ハイパスフィルタにより抽出された周波数成分に係る第１音声音響信号の時系列の第１実効値を算出する第１実効値算出部と、前記ハイパスフィルタにより抽出された周波数成分に係る第２音声音響信号の時系列の第２実効値を算出する第２実効値算出部と、前記第１実効値算出部及び第２実効値算出部により算出した第１実効値及び第２実効値をメタデータとして受信した音声音響信号に付加する付加部と、該付加部によりメタデータが付加された音声音響信号を外部へ送信する送信部とを備える。
【００１０】
本願に開示の送受信装置は、前記第１実効値算出部にて算出した第１実効値及び前記第２実効値算出部で算出した第２実効値の対数に基づき変換する変換部を備え、前記付加部は、前記変換部により変換された対数に係る第１実効値及び第２実効値をメタデータとして受信した音声音響信号に付加するよう構成してある。
【００１１】
本願に開示の送受信装置は、前記所定周波数は２０Ｈｚである。
【００１２】
本願に開示の送受信装置は、前記抽出部は、受信した音声音響信号が第１音声音響信号及び第２音声音響信号を超える複数種類の音声音響信号を有する場合、該複数種類の音声音響信号を第１音声音響信号及び第２音声音響信号へ変換するよう構成してある。
【００１３】
本願に開示の送受信方法は、音声音響信号を送受信装置にて受信し、受信した音声音響信号を前記送受信装置から外部へ送信する送受信方法において、受信した音声音響信号に係る第１音声音響信号及び第２音声音響信号を抽出する抽出ステップと、該抽出ステップにより抽出した第１音声音響信号及び第２音声音響信号から所定周波数以上の周波数成分を抽出する成分抽出ステップと、該成分抽出ステップにより抽出された周波数成分に係る第１音声音響信号及び第２音声音響信号の時系列の和信号に関する値を算出し、算出した値の所定時間分の累積加算値に基づく加算データを算出する加算ステップと、前記成分抽出ステップにより抽出された周波数成分に係る第１音声音響信号及び第２音声音響信号の時系列の差信号に関する値を算出し、算出した値の所定時間分の累積加算値に基づく減算データを算出する減算ステップと、前記加算ステップ及び減算ステップにより算出した加算データ及び減算データをメタデータとして受信した音声音響信号に付加する付加ステップと、該付加ステップによりメタデータが付加された音声音響信号を外部へ送信する送信ステップとを含む。
【００１４】
本願に開示の送受信方法は、音声音響信号を送受信装置にて受信し、受信した音声音響信号を前記送受信装置から外部へ送信する送受信方法において、受信した音声音響信号に係る第１音声音響信号及び第２音声音響信号を抽出する抽出ステップと、該抽出ステップにより抽出した第１音声音響信号及び第２音声音響信号から所定周波数以上の周波数成分を抽出する成分抽出ステップと、該成分抽出ステップにより抽出された周波数成分に係る第１音声音響信号の時系列の第１実効値を算出する第１実効値算出ステップと、前記成分抽出ステップにより抽出された周波数成分に係る第２音声音響信号の時系列の第２実効値を算出する第２実効値算出ステップと、前記第１実効値算出ステップ及び第２実効値算出ステップにより算出した第１実効値及び第２実効値をメタデータとして受信した音声音響信号に付加する付加ステップと、該付加ステップによりメタデータが付加された音声音響信号を外部へ送信する送信ステップとを含む。
【００１５】
本願に開示のプログラムは、音声音響信号を受信して外部へ該音声音響信号を送信するコンピュータに用いられるプログラムにおいて、コンピュータに、受信した音声音響信号に係る第１音声音響信号及び第２音声音響信号を抽出する抽出ステップと、該抽出ステップにより抽出した第１音声音響信号及び第２音声音響信号から所定周波数以上の周波数成分を抽出する成分抽出ステップと、該成分抽出ステップにより抽出された周波数成分に係る第１音声音響信号及び第２音声音響信号の時系列の和信号に関する値を算出し、算出した値の所定時間分の累積加算値に基づく加算データを算出する加算ステップと、前記成分抽出ステップにより抽出された周波数成分に係る第１音声音響信号及び第２音声音響信号の時系列の差信号に関する値を算出し、算出した値の所定時間分の累積加算値に基づく減算データを算出する減算ステップと、前記加算ステップ及び減算ステップにより算出した加算データ及び減算データをメタデータとして受信した音声音響信号に付加する付加ステップと、該付加ステップによりメタデータが付加された音声音響信号を外部へ送信する送信ステップとを実行させる。
【００１６】
本願に開示のプログラムは、音声音響信号を受信して外部へ該音声音響信号を送信するコンピュータに用いられるプログラムにおいて、コンピュータに、受信した音声音響信号に係る第１音声音響信号及び第２音声音響信号を抽出する抽出ステップと、該抽出ステップにより抽出した第１音声音響信号及び第２音声音響信号から所定周波数以上の周波数成分を抽出する成分抽出ステップと、該成分抽出ステップにより抽出された周波数成分に係る第１音声音響信号の時系列の第１実効値を算出する第１実効値算出ステップと、前記成分抽出ステップにより抽出された周波数成分に係る第２音声音響信号の時系列の第２実効値を算出する第２実効値算出ステップと、前記第１実効値算出ステップ及び第２実効値算出ステップにより算出した第１実効値及び第２実効値をメタデータとして受信した音声音響信号に付加する付加ステップと、該付加ステップによりメタデータが付加された音声音響信号を外部へ送信する送信ステップとを実行させる。
【００１７】
本願に開示する装置によれば、抽出部は、受信した音声音響信号に係る第１音声音響信号及び第２音声音響信号を抽出する。ハイパスフィルタは、これら抽出した第１音声音響信号及び第２音声音響信号から所定周波数以上の周波数成分を抽出する。加算部は、抽出された周波数成分に係る第１音声音響信号及び第２音声音響信号の時系列の和信号に関する値を算出し、算出した値の所定時間分の累積加算値に基づく加算データを算出する。同様に減算部は、抽出された周波数成分に係る第１音声音響信号及び第２音声音響信号の時系列の差信号に関する値を算出し、算出した値の所定時間分の累積加算値に基づく減算データを算出する。この加算データ及び減算データはメタデータとして付加部により音声音響信号に付加される。最後に、送信部はメタデータが付加された音声音響信号を外部へ送信する。
【００１８】
本願に開示する装置によれば、変換部は、算出した加算データ及び減算データを、所定の下限値及び上限値に基づき変換する。そして付加部は、変換部により変換された加算データ及び減算データをメタデータとして受信した音声音響信号に付加する。
【００１９】
本願に開示する装置によれば、抽出部は、受信した音声音響信号に係る第１音声音響信号及び第２音声音響信号を抽出する。ハイパスフィルタは、これら抽出した第１音声音響信号及び第２音声音響信号から所定周波数以上の周波数成分を抽出する。第１実効値算出部は、ハイパスフィルタにより抽出された周波数成分に係る第１音声音響信号の時系列の第１実効値を算出する。同様に第２実効値算出部は、ハイパスフィルタにより抽出された周波数成分に係る第２音声音響信号の時系列の第２実効値を算出する。そして、付加部はこの算出した第１実効値及び第２実効値をメタデータとして受信した音声音響信号に付加する。最後に送信部はメタデータが付加された音声音響信号を外部へ送信する。
【００２０】
本願に開示する装置によれば、変換部は、第１実効値算出部にて算出した第１実効値及び第２実効値算出部で算出した第２実効値の対数に基づき変換する。そして、付加部は変換部により変換された対数に係る第１実効値及び第２実効値をメタデータとして受信した音声音響信号に付加する。
【発明の効果】
【００２１】
当該装置の一観点によれば、ハイパスフィルタにより第１音声音響信号及び第２音声音響信号の直流成分を排除することができる。従って伝送の際の符号化及び復号処理に伴い直流成分が多く存在する符号化復号形式または直流成分が排除された符号化復号形式の如何にかかわらず、加算データ及び減算データを算出する際、量子化ノイズ等を伝送障害ノイズと誤って判断する事態を回避することが可能となる等、本発明は優れた効果を奏する。
【発明を実施するための最良の形態】
【００２２】
実施の形態１
以下本発明の実施の形態を、図面を参照して説明する。図１は伝送システムの概要を示す模式図である。伝送システムはキー局に設けられる送受信装置１、中継局に設けられる送受信装置１、送受信装置１を含んで構成される。制作された映像データ及び音声音響信号からなる番組素材（以下、音声データという）は、複数の中継局を経てキー局に伝送される。その後、放送局で映像データ及び音声データが加工され、キー局から複数の中継局を経て図示しないユーザのチューナに伝送される。キー局及び中継局に設けられる送受信装置１は放送データ中の音声データを分析し、音声データの特徴量である加算データ及び減算データ（以下、場合によりまとめてメタデータという）を算出する。送受信装置１（以下、メタデータ算出器１）は受信した音声データからメタデータを算出する。メタデータ算出器１は算出したメタデータを音声データに付加し、後段の中継局のメタデータ算出器１へ送信する。以下では、音声データを送信するメタデータ算出器１を前段とし、当該メタデータ算出器１から音声データを受信するメタデータ算出器１を後段とする。
【００２３】
図２はメタデータ算出器１のハードウェア構成を示すブロック図である。メタデータ算出器１は、デマルチプレクサ１１、抽出部１２、メタデータ保持部１３、メタデータ算出部１４、メタデータ付加部１５、付加部１７、送信部１８、ハイパスフィルタ（以下、ＨＰＦという）１１０、及び、変換部１１１等を含んで構成される。メタデータ算出器１にはＭＰＥＧ（Moving Pictures Experts Group）、ＡＡＣまたはdolby-E等により圧縮されたＡＶストリームが入力される。なお、ＡＶストリームには映像データ及び音声データの双方が含まれるが、本実施の形態においては映像データの記載を省略する。音声データはＡＡＣまたはdolby-E形式等によりエンコードされており、図示しないデコーダによりデコードされた音声データ及び後述する特定データ（識別情報）がメタデータ算出器１へ入力される。また、制作した映像データ及び音声データをキー局（放送局）へ伝送する際には、非圧縮のまま音声データを伝送することもある。
【００２４】
メタデータ算出器１へ入力された音声データ及び特定データはデマルチプレクサ１１へ入力される。デマルチプレクサ１１は音声データに付加されたメタデータ及び特定データを抽出し、抽出したメタデータ及び特定データ、並びに、メタデータ及び特定データが取り除かれた音声データを分離して出力する。なお、この付加されたメタデータは前段のキー局または中継局のメタデータ算出器１にて算出されたメタデータである。このメタデータの算出処理及び特定データの内容については後述する。デマルチプレクサ１１にて分離された音声データは付加部１７及び抽出部１２にそれぞれ出力される。デマルチプレクサ１１にて分離されたメタデータ及び特定データはメタデータ保持部１３へ出力される。
【００２５】
抽出部１２は入力された音声データに係る第１音声データ（以下、左音声データ）及び第２音声データ（以下、右音声データ）を抽出し、左音声データ及び右音声データを、ＨＰＦ１１０を介してメタデータ算出部１４へ出力する。すなわち抽出部１２は、音声データが左及び右の２ｃｈから構成される場合は左音声データ及び右音声データをそれぞれ抽出し、抽出した左音声データ及び右音声データを、ＨＰＦ１１０を介してメタデータ算出部１４へ出力する。
【００２６】
抽出部１２は音声データが２ｃｈの場合、上述した処理を行うが、音声データが２ｃｈを超える３ｃｈ以上の場合は、この３以上の複数チャンネルからなる音声データを、変換部１２１により左音声データ及び右音声データにより構成される２ｃｈの音声データへ変換（ダウンミックス）する。出力部１２２は変換後の２ｃｈに係る左音声データ及び右音声データをＨＰＦ１１０へ出力する。変換部１２１には３ｃｈ以上の音声データを２ｃｈの音声データへ変換するための数式が記憶されており、当該数式に従い変換を行う。本実施の形態においては音声データが例えば５．１ｃｈである例を説明する。
【００２７】
入力される音声データが、左音声データＬ、右音声データＲ、センター音声データＣ、左サラウンドデータＬｓ、及び、右サラウンドデータＲｓとした場合、変換後の左音声データＬ’、変換後の右音声データＲ’は、ＩＳＯ／ＩＥＣ  １３８１８−７に従い、下記式（１）で表すことができる。
【００２８】
【数１】
2010091980.tif 000003
【００２９】
また、式（１）は.１ｃｈの低域効果データＬＦＥを含んでいないが、ＬＦＥが存在する場合は、下記式（２）にて変換後の左音声データＬ’、変換後の右音声データＲ’を算出するようにすれば良い。
【００３０】
【数２】
2010091980.tif 000004
【００３１】
図３は係数Ａの値を示すテーブルである。この値はＩＳＯ／ＩＥＣ  １３８１８−７の８．３．７．５の記載に基づくものであり、matrix_mixdown_idxの値によりＡの値が決定される。なお図３に示すテーブルも変換部１２１に記憶されている。以上の如く、変換部１２１により左音声データ及び右音声データに変換された音声データは出力部１２２を介してＨＰＦ１１０へ出力される。なお、本実施の形態においては５．１ｃｈの例を説明したが７．１ｃｈ等の音声データを変換する形態であっても良い。また、ＩＳＯ／ＩＥＣ  １３８１８−７の例を用いて、５．１ｃｈからなる音声データを、左音声データ及び右音声データにより構成される２ｃｈの音声データへダウンミックスする例を挙げたが、これに限るものではない。例えばＡＲＩＢ／ＳＴＤ−Ｂ２１等で規定された他のダウンミックスの数式を用いても良い。
【００３２】
ＨＰＦ１１０は出力部１２２から出力された左音声データ及び右音声データのそれぞれの所定周波数以上の周波数成分を抽出する。ＨＰＦ１１０は所定周波数以上の周波数成分を抽出した後の左音声データ及び右音声データをメタデータ算出部１４へ出力する。ＨＰＦ１１０における所定周波数は内部のメモリ（図示せず）に遮断周波数として記憶されている。この遮断周波数は図示しない入力部により適宜値を変更することが可能である。遮断周波数は、例えば２０Ｈｚ以下の値とすれば良く、好ましくは６Ｈｚ程度とすればよい。
【００３３】
図４はＨＰＦ１１０の構成を示すブロック図である。ＨＰＦ１１０は加算器１１０１、加算器１１０２、遅延回路１１０３及び遅延回路１１０４等を含む。ここで入力をx[n]、出力をy[n]、中間出力をv[n]とした場合、中間出力v[n]は以下の式（３）で表すことができる。
v[n] = x[n] + a1v[n-1] + a2v[n-2]    ・・・（３）
【００３４】
そして、出力y[n]は以下の式（４）で表すことができる。
y[n] = b0v[n] + b1v[n-1] + b2v[n-2]    ・・・（４）
【００３５】
ここで係数b0は0.999439161786443、係数a1は-1.998878015320690、係数b1は-1.998878323572890、係数a2は0.998878631825079、係数b2は0.999439161786443である。なお図４に示したＨＰＦ１１０の構成は一例であり他のフィルタを適用しても良い。例えば、図４に示すＨＰＦ１１０を複数段カスケード接続したものであっても良い。直流成分がＨＰＦ１１０により除去された右音声データ及び左音声データはメタデータ算出部１４へ出力される。
【００３６】
メタデータ算出部１４は加算部１４１及び減算部１４２を含んで構成される。加算部１４１は左音声データ及び右音声データの時系列の和信号に関する値を算出し、算出した値の所定時間分の累積加算値に基づく加算データを算出する。また減算部１４２は左音声データ及び右音声データの時系列の差信号に関する値を算出し、算出した値の所定時間分の累積加算値に基づく減算データを算出する。算出された加算データ及び減算データはメタデータとして、変換部１１１を介してメタデータ付加部１５へ出力される。以下に詳細を説明する。
【００３７】
図５は左音声データ及び右音声データの時間的変化を模式的に示すグラフである。図５（ａ）は左音声データの振幅の時間的変化を模式的に示すグラフであり、図５（ｂ）は右音声データの振幅の時間的変化を模式的に示すグラフである。何れも横軸は時間、縦軸は振幅である。入力される音声データは所定時間毎（例えば、NTSC（National Television Standards Committee）映像の１フレームの時間である33.3msの整数倍、または、ＡＡＣの１フレームの符号化時間である42.6msの整数倍）に分割される。以下ではこの所定時間の一単位をフレームという。図５の例では音声データがフレーム１、フレーム２、・・・フレームｊの如く分割され、フレーム毎に加算データ及び減算データが算出される。
【００３８】
フレーム１において左音声データはサンプリング周波数に応じて時系列順にＬｉ、Ｌｉ＋１、・・・Ｌｎと表すことができる。同様にフレーム１における右音声データは、時系列順にＲｉ、Ｒｉ＋１、・・・Ｒｎと表すことができる。加算部１４１は左音声データの特定の時間におけるデータと、右音声データの特定の時間におけるデータとを加算し、和信号を算出する。例えばＲｉとＬｉとの和信号を算出する。次に、加算部１４１は加算値を２で除すことにより和信号に関する値を算出する。つまり当該特定時間における左音声データ及び右音声データの平均値を算出する。加算部１４１は、当該処理を１フレーム内に存在する全ての時間のデータに対して行う。つまり、ｉからｎまですべての時系列の組み合わせに対して演算処理を行う。そして加算部１４１は、フレーム内に存在する左音声データ及び右音声データ全ての組み合わせにおける平均値の総和を算出する。加算部１４１はその総和をフレーム内の左音声データ及び右音声データの組み合わせ数で除すことにより、総和の平均値を算出する。具体的には、フレーム１における加算データＡＩＩ（１）は式（５）により表すことができる。なお、以下では加算データを場合によりＡＩＩ（Audio in-phase information）と称する。
【００３９】
【数３】
2010091980.tif 000005
【００４０】
このように、特定時間における平均値、及び、フレーム内の総和の平均値を用いることにより加算データは音声データの最大振幅以下の値となることからデータ量の低減をも図ることが可能となる。なお、本実施の形態においては、加算データに関し右音声データと左音声データとの和の平均値を算出することとしたが、平均値を算出することなく加算値を利用しても良い。つまり式（５）の１／２を１に代えて演算し和信号に関する値としても良い。この場合、加算値の算出が、１フレーム内に存在する左音声データ及び右音声データ全ての組み合わせに対して行われる。この加算値の総和を算出し、さらにその総和の平均値を算出するようにしても良い。さらには、加算データに関し最後に総和の平均値を算出する例につき説明するが、平均値を算出することなく総和を加算データとして算出するようにしても良い。つまり式（５）の１／ｎを１とする演算を行う。加算部１４１は全てのフレーム１〜ｊについて同様の処理を行い加算データＡＩＩ（１）〜加算データＡＩＩ（ｊ）を算出する。
【００４１】
次いで減算部１４２について説明する。減算部１４２は左音声データの特定の時間におけるデータから、右音声データの特定の時間におけるデータを減算し、差信号を算出する。なお、減算部１４２は右音声データの特定の時間におけるデータから、左音声データの特定の時間におけるデータを減算しても良い。次に、減算部１４２は減算値を２で除すことにより差信号に関する値を算出する。つまり減算部１４２は当該特定時間における減算値の平均値を算出する。減算部１４２は、当該処理を１フレーム内に存在する左音声データ及び右音声データ全ての組み合わせに対して行う。そして減算部１４２はこの平均値の総和を算出し、さらにその総和の平均値を算出する。具体的には、フレーム１における減算データＡＯＩ（１）は式（６）により表すことができる。なお、以下では減算データを場合によりＡＯＩ（Audio out of phase information）と称する。
【００４２】
【数４】
2010091980.tif 000006
【００４３】
減算部１４２においても加算部１４１と同様に、減算データに関し減算値の平均値の算出、及び、総和の平均値の算出を必ずしも実行しなくても良い。すなわち、本実施の形態においては、減算データに関し右音声データと左音声データと差の平均値を算出することとしたが、平均値を算出することなく差の値を差信号に関する値として利用しても良い。つまり式（６）の１／２を１に代えて演算する。この場合、差の値の算出が、１フレーム内に存在する左音声データ及び右音声データ全ての組み合わせに対して行われる。この差の値の総和を算出し、さらにその総和の平均値を算出するようにしても良い。さらには、減算データに関し最後に総和の平均値を算出する例につき説明するが、平均値を算出することなく総和を減算データとして算出するようにしても良い。つまり式（６）の１／ｎを１とする演算を行う。減算部１４２は全てのフレーム１〜ｊについて同様の処理を行い減算データＡＯＩ（１）〜減算データＡＯＩ（ｊ）を算出する。加算部１４１及び減算部１４２は予め記憶した式（５）及び式（６）に基づき、全てのフレームに対して演算が行われた加算データ及び減算データ群をメタデータとして、変換部１１１を介してメタデータ付加部１５へ出力する。
【００４４】
続いて、ＨＰＦ１１０をメタデータ算出部１４の前段に適用したことの効果について検討する。図６はＨＰＦ１１０による処理を経ない場合の加算データの時間的変化を示すグラフである。図６のグラフにおける横軸はフレーム数を示し、縦軸は加算データＡＩＩの値を示す。実線は符号化及び復号処理がなされていない音声データに対する加算データの時間的変化を示す。また点線はdolby-Eによる符号化及び復号処理がなされた音声データに対する加算データの時間的変化を示す。なお実験に用いた音声は女性のアナウンス約２０秒であり、ランダムノイズまたはバーストノイズ等の各種ノイズの影響を受けていない。
【００４５】
図６の実線及び点線のグラフを比較した場合、dolby-E（点線）が符号化及び復号処理を経ていない実線に対し、全体的にオフセットしていることが理解できる。また図示しないが、ＡＡＣによる符号化及び復号処理を経た音声データは実線で示す符号化及び復号処理を経ていない音声データにその特性がほぼ一致することが確認できた。音声データを伝送する場合、様々な形式の符号化及び復号処理が適用される。その場合、dolby-E等の符号化及び復号処理を経た加算データは、符号化及び復号処理を経ていない音声データに係る加算データとその特性が相違する。その一方で、ＡＡＣ等の符号化及び復号処理を経た加算データは、符号化及び復号処理を経ていない音声データに係る加算データとその特性が近似する。
【００４６】
本願出願人は、様々な形式の符号化及び復号処理を経た音声データに係る加算データを柔軟に活用すべく鋭意研究を重ねた結果、メタデータ算出部１４の前段にＨＰＦ１１０を設けることにより、この問題を解決した。図７はＨＰＦ１１０による処理を経た場合の加算データの時間的変化を示すグラフである。横軸及び縦軸の値は図６と同様である。実線は符号化及び復号処理がなされていないが、ＨＰＦ１１０による処理がなされた音声データに対する加算データの時間的変化を示す。また点線はdolby-Eによる符号化及び復号処理及びＨＰＦ１１０による処理がなされた音声データに対する加算データの時間的変化を示す。なお、図７の例では、図４に示すＨＰＦ１１０を４段カスケード接続したフィルタを用い、また遮断周波数を６Ｈｚとした例を示す。
【００４７】
図７に示すとおり、ＨＰＦ１１０による周波数成分の抽出処理によりオフセット量が低減され、符号化及び復号処理を経ていない音声データに係る加算データとその特性がほぼ一致していることが理解できる。これにより、様々な符号化及び復号処理を経た音声データを受信した場合でも、オフセット量を低減できることから量子化ノイズ等を誤って伝送障害ノイズと検出する事態を回避することが可能となる。なお、実験で用いた遮断周波数は６Ｈｚであるが２０Ｈｚ以下の値を適宜採用すればよい。これは２０Ｈｚ以下は人間にとって聴感度が低い周波数であり、この周波数帯域に障害が発生したとしても聞こえない、つまり人間が障害と認識できないからである。
【００４８】
ＨＰＦ１１０をメタデータ算出部１４の前段に設けることによる効果は減算データＡＯＩにおいても実証された。図８はＨＰＦ１１０による処理を経ない場合の減算データの時間的変化を示すグラフである。図８のグラフにおける横軸はフレーム数を示し、縦軸は減算データＡＯＩの値を示す。実線は符号化及び復号処理がなされていない音声データに対する減算データの時間的変化を示す。また点線はdolby-Eによる符号化及び復号処理がなされた音声データに対する減算データの時間的変化を示す。図８に示す如く、dolby-Eによる符号化及び復号処理を経た減算データは、符号化及び復号処理を経ていない減算データに対し大きく相違する。減算データも加算データと同じく、符号化及び復号処理の形式如何によってはオフセット量が相違する。
【００４９】
図９はＨＰＦ１１０による処理を経た場合の減算データの時間的変化を示すグラフである。横軸及び縦軸の値は図８と同様である。実線は符号化及び復号処理がなされていないが、ＨＰＦ１１０による処理がなされた音声データに対する減算データの時間的変化を示す。また点線はdolby-Eによる符号化及び復号処理及びＨＰＦ１１０による処理がなされた音声データに対する減算データの時間的変化を示す。なお、ＨＰＦ１１０の構成及び遮断周波数は加算データの実験と同様のものを用いた。図９に示す如く、減算データにおいても加算データと同じくオフセット量が低減され符号化及び復号処理を経た減算データが符号化及び復号処理を経ていない減算データにほぼ一致していることが理解できる。
【００５０】
メタデータ算出部１４により算出された加算データ及び減算データは変換部１１１へ出力される。変換部１１１は上下限変換部１１１０及び整数変換部１１１１を含む。上下限変換部１１１０は加算データ及び減算データの絶対値を求め、内部のメモリ（図示せず）に記憶した上限値及び下限値に基づき加算データ及び減算データの絶対値を変換する。具体的には、下限値として３、上限値として２５５がメモリに記憶されている。なおこれらの数値は一例でありこれに限るものではない。上下限変換部１１１０は、加算データ及び減算データの絶対値が下限値３よりも小さい場合、零へその値を変換する。なお、必ずしも零に変換する必要はなく３より小さい１、または２に変換してもよい。この場合、上下限変換部１１１０は変換前の加算データ及び減算データに予め付与されていた絶対値算出前の符号を、変換後の加算データ及び減算データに付加する。例えば、加算データが−２の場合、絶対値２が算出され、変換処理により１へ変換される。最後に上下限変換部１１１０は元の符号−を付加して−１を得る。
【００５１】
さらに上下限変換部１１１０は加算データ及び減算データの絶対値が上限値２５５を超える場合、加算データ及び減算データの絶対値を上限値２５５または２５５未満の値へ変換する。次いで上下限変換部１１１０は変換前の加算データ及び減算データに予め付与されていた絶対値算出前の符号を、変換後の加算データ及び減算データに付加する。具体的には、加算データが−３２９である場合、加算データの絶対値が３２９と算出され、上限値を超える。上下限変換部１１１０は、加算データの絶対値を上限値２５５または上限値未満の７３（３２９−２５６）に変換する。上限値未満へ変換する場合、例えば予めメモリに記憶された２５４または２５３とする他、零としても良い。その他、上限値未満へ変換する処理の一例として、加算データまたは減算データの絶対値から２のｎ乗に係る値を減算して、所定ビット（例えば８ビット）以下で表現できる数値に変換しても良い。本例では２の８乗に係る値を減算している。その他、２の７乗に係る値を減算しても良い。
【００５２】
上下限変換部１１１０は変換前の加算データ及び減算データに予め付与されていた絶対値算出前の符号を、変換後の加算データ及び減算データに付加する。上述の例では加算データが−３２９であるので、変換後の７３に符号−を付加して−７３を得る。加算データがより小さい場合、例えば−９５６である場合、上限値２５５または上限値未満の１８８（９５６−５１２−２５６）に変換する。本例では、変換後の値を８ビット以下とすべく、２のｎ乗に係る値として、２の９乗及び２の８乗を減算している。次いで上下限変換部１１１０は変換前の加算データ及び減算データに予め付与されていた絶対値算出前の符号を、変換後の加算データ及び減算データに付加する。本例の場合、加算データは−１８８となる。
【００５３】
また本実施の形態においては、上下限変換部１１１０において、正負の値を持つ加算データ及び減算データの絶対値を求めてから変換する処理を述べるが、これに限るものではない。上下限変換部１１１０はメモリ（図示せず）内に下限値に対応する第１範囲、及び、第２範囲を記憶している。第１範囲は例えば−３より大きく０より小さいと記憶され、第２範囲は例えば０より大きく＋３より小さいと記憶されている。また上下限変換部１１１０はメモリ（図示せず）内に上限値に対応する第３範囲、及び、第４範囲を記憶している。第３範囲は例えば−２５５よりも小さいと記憶されており、第４範囲は＋２５５よりも大きいと記憶されている。
【００５４】
上下限変換部１１１０は加算データ及び減算データを受け付けた場合、加算データ及び減算データが第１範囲乃至第４範囲に属するか否かを判断する。上下限変換部１１１０は第１範囲に属すると判断した場合、加算データ及び減算データを、例えば零、或いは−３より大きい負の値、例えば−１に変換する。上下限変換部１１１０は第２範囲に属すると判断した場合、加算データ及び減算データを、例えば零、或いは＋３より小さい正の値、例えば＋１に変換する。上下限変換部１１１０は第３範囲に属すると判断した場合、−２５５または−２５５よりも大きい負の値へ変換する。例えば−２５４、零、または加算データまたは減算データから２のｎ乗に係る値を加算して、所定ビット（例えば８ビット）以下で表現できる負の数値等とすれば良い。同様に上下限変換部１１１０は第４範囲に属すると判断した場合、＋２５５または２５５より小さい正の値へ変換する。例えば＋２５４、零、または加算データまたは減算データから２のｎ乗に係る値を減算して、所定ビット（例えば８ビット）以下で表現できる正の数値等とすれば良い。
【００５５】
整数変換部１１１１は、加算データ及び減算データの小数点以下を切り捨て、切り上げまたは四捨五入等することにより、加算データ及び減算データを整数値とする。なお、変換部１１１へ加算データ及び減算データが入力された場合、上下限変換部１１１０による変換処理を経てから整数変換部１１１１による処理を行っても良い。逆に、整数変換部１１１１により加算データ及び減算データを整数化してから、上下限変換部１１１０による変換処理を行っても良い。本実施の形態においては、先に上下限変換部１１１０による変換を行ってから、整数変換部１１１１により、整数値へ変換する処理を例に挙げて説明する。なお加算データ及び減算データが零の場合、並びに、加算データ及び減算データの絶対値が３以上２５５以下の場合、上下限変換部１１１０は変換処理を実行しない。この場合、メタデータ算出部１４から出力された加算データ及び減算データは変換部１１１の整数変換部１１１１にて整数への変換のみが行われる。
【００５６】
図１０は各符号化及び復号処理を経た加算データの時間的変化を示すグラフである。図１０における横軸はフレーム、縦軸は加算データの値を示す。実線ａｂｓは符号化及び復号処理を経ていない加算データからＡＡＣによる符号化及び復号処理を経た加算データを減じた値の時間的変化を示す。点線ａｂｓは符号化及び復号処理を経ていない加算データからdolby-Eによる符号化及び復号処理を経た加算データを減じた絶対値の時間的変化を示す。実験に用いた音声データは図６乃至図９の説明に用いた音声データと同一である。
【００５７】
図１１は各符号化及び復号処理を経た減算データの時間的変化を示すグラフである。図１１における横軸はフレーム、縦軸は減算データの値を示す。実線ａｂｓは符号化及び復号処理を経ていない減算データからＡＡＣによる符号化及び復号処理を経た減算データを減じた値の時間的変化を示す。点線ａｂｓは符号化及び復号処理を経ていない減算データからdolby-Eによる符号化及び復号処理を経た減算データを減じた絶対値の時間的変化を示す。図１０及び図１１に示す如く、各種符号化及び復号処理を経た加算データ及び減算データは伝送障害ノイズを有さない音声データであっても、符号化及び復号処理を経ていない加算データ及び減算データに対し、約３以下の差分を有する。
【００５８】
この差分は各種符号化及び復号処理に起因するものであり、伝送障害ノイズと判断する虞がある。そのため、本実施の形態においては上下限変換部１１１０のメモリに下限値３を記憶しておき、３よりも小さい加算データ及び減算データの絶対値を０に変換することで、各符号化及び復号処理を経た音声データの量子化ノイズ等が障害ノイズと誤判断されることを低減するものである。一方、加算データ及び減算データの絶対値は図６乃至図９で示した如く、２５５を超える値は稀であった。そこで、本実施の形態においては上下限変換部１１１０のメモリに上限値２５５を記憶しておき、２５５を超える加算データ及び減算データの絶対値を上限値２５５または２５５未満の値に変換することで、伝送の際の情報量の低減を図ることとしたものである。
【００５９】
また、整数変換部１１１１では加算データ及び減算データの絶対値を整数に変換することで情報量の低減を図ることとしたものである。その結果、変換部１１１を経ることで、加算データ及び減算データは０または３から２５５の整数値となり、１または２の数値は存在しないことから、下位の１ビットを無視することとし、０から１２７の７ビット値と符号１ビット値の合計８ビット値に変換され、情報量の低減を図ることが可能になり、かつ、符号化及び復号処理の種類に起因する量子化ノイズ等の誤検出を低減することが可能となる。変換部１１１により変換された後の加算データ及び減算データはメタデータ付加部１５へ出力される。
【００６０】
図１２はメタデータ保持部１３のレコードレイアウトを示す説明図である。メタデータ保持部１３はデマルチプレクサ１１から出力される前段のメタデータ算出器１、１・・にて算出されたメタデータ及び特定データを記憶している。メタデータ保持部１３は、局ＩＤフィールド、機器ＩＤフィード、及びメタデータフィールドを含んで構成される。局ＩＤはキー局及び中継局に予め割り当てられる固有の識別子である。局ＩＤは例えば数値が小さいほど前段に存在することを意味している。本例では局ＩＤ０１がキー局であり、その後段に局ＩＤ０２の中継局、その後段に局ＩＤ０３の中継局、さらにその後段に局ＩＤ０４の中継局が存在していることを意味する。
【００６１】
本例における中継局の局ＩＤはさらにその後段の０５であるものとする。機器ＩＤはキー局及び中継局にそれぞれ設置されるメタデータ算出器１を特定するための予め割り当てられた固有の識別子である。この機器ＩＤは例えばＭＡＣ（Media Access Control）アドレス等を用いればよい。なお、本実施の形態においては局ＩＤ及び機器ＩＤの２種類を設ける形態につき説明するが、いずれか一つを用いても良い。機器ＩＤに関しても、どの機器ＩＤが前段のメタデータ算出器１に係る機器ＩＤであるかの情報が図示しないメモリに記憶されている。特定のメタデータ算出器１にて算出されたメタデータは当該メタデータ算出器１及びメタデータを特定するための局ＩＤ及び機器ＩＤに対応づけられる。以下では、算出したメタデータを特定するための局ＩＤ、及び、機器ＩＤを特定データという。
【００６２】
メタデータフィールドには前段のメタデータ算出器１にて算出されたメタデータが記憶されている。メタデータ保持部１３は前段のメタデータ算出器１、１、・・・にて算出したメタデータ及びメタデータを特定するための特定データを履歴として記憶している。メタデータ保持部１３は、メタデータ及び特定データを識別情報付加部としてのメタデータ付加部１５へ出力する。なお、図２に示すメタデータ算出器１がキー局に存在する場合は、その前段が存在しないので、メタデータ保持部１３には何もデータが記憶されない。
【００６３】
識別情報付加部として機能するメタデータ付加部１５はメタデータ算出部１４から出力されるメタデータに、局ＩＤ（本例では０５）、及び、機器ＩＤに係る特定データを付加する。さらにメタデータ付加部１５はこのメタデータ及び特定データを、メタデータ保持部１３から出力される前段のメタデータ及び特定データに付加する処理を行う。
【００６４】
図１３はメタデータ及び特定データのデータ構造を示す説明図である。図１３に示す如くヘッダに各メタデータ算出器１にて算出されたメタデータ及び特定データが伝送順に結合されている。つまり局ＩＤが小さいものから順に各メタデータが結合されている。キー局のメタデータ算出器１にて算出されたメタデータは、局ＩＤ０１の特定データと共に最前段に記憶されている。また本メタデータ算出器１にて算出されたメタデータは、局ＩＤ０５の特定データと共に最後段に記憶されている。メタデータ付加部１５にて前段の履歴が付加されたメタデータ及び特定データは付加部１７に出力される。
【００６５】
付加部１７はデマルチプレクサ１１から出力された音声データにメタデータ付加部１５から出力されたメタデータ及び特定データを付加し、送信部１８へ出力する。送信部１８は、後段の中継局に設けられるメタデータ算出器１へ映像データと共に、図示しないエンコーダによりエンコードされた音声データ、並びに、これに付加されたメタデータ及び特定データを送信する。これにより、各メタデータ算出器１にて算出されたメタデータ及び特定データが音声データに次々に付加されていくことになる。
【００６６】
以上のハードウェア構成においてメタデータ算出処理及び付加処理の手順を、フローチャートを用いて説明する。図１４乃至図１６はメタデータ算出処理及び付加処理の手順を示すフローチャートである。デマルチプレクサ１１は入力された音声データにメタデータ及び特定データが付加されているか否かを判断する（ステップＳ７１）。デマルチプレクサ１１はメタデータ及び特定データが付加されていると判断した場合（ステップＳ７１でＹＥＳ）、音声データからメタデータ及び特定データを抽出する（ステップＳ７２）。
【００６７】
デマルチプレクサ１１はメタデータ及び特定データをメタデータ保持部１３へ出力する（ステップＳ７３）。ステップＳ７１において、音声データにメタデータ及び特定データが付加されていないと判断した場合（ステップＳ７１でＮＯ）、ステップＳ７２及びＳ７３の処理をスキップする。またデマルチプレクサ１１はメタデータ及び特定データが付加されていない音声データを抽出部１２及び付加部１７へ出力する（ステップＳ７４）。抽出部１２は音声データが２ｃｈを超えるチャンネル数であるか否かを判断する（ステップＳ７５）。
【００６８】
抽出部１２は音声データが２ｃｈを超えるチャンネル数であると判断した場合（ステップＳ７５でＹＥＳ）、変換部１２１は式（１）を読み出し、数値を代入することで２ｃｈの音声データに変換し、出力部１２２を介して２ｃｈの音声データを出力する（ステップＳ７６）。抽出部１２はステップＳ７６の処理の後、ステップＳ７７へ移行する。またステップＳ７５において音声データが２ｃｈを超えるチャンネル数でないと判断した場合（ステップＳ７５でＮＯ）、すなわち、２ｃｈの信号であると判断した場合、抽出部１２はステップＳ７６の処理をスキップし、左音声データ及び右音声データを抽出する（ステップＳ７７）。
【００６９】
抽出部１２は左音声データ及び右音声データをＨＰＦ１１０へ出力する（ステップＳ７８）。ＨＰＦ１１０はメモリに記憶した遮断周波数を読み出す。ＨＰＦ１１０は読み出した遮断周波数を超える周波数成分を抽出する（ステップＳ７９）。具体的にはＨＰＦ１１０は図４に示すフィルタに、符号化及び復号処理の如何にかかわらず加算データ及び減算データの量子化ノイズ等の要因を低減させるべく、左音声データ及び右音声データをそれぞれ入力し、出力を得る。ＨＰＦ１１０は抽出後の左音声データ及び右音声データをメタデータ算出部１４へ出力する（ステップＳ７１０）。加算部１４１は式（５）を読み出し、左音声データ及び右音声データを式（５）へ代入することにより、各フレームの加算データを算出する（ステップＳ７１１）。減算部１４２は式（６）を読み出し、左音声データ及び右音声データを式（６）へ代入することにより、各フレームの減算データを算出する（ステップＳ７１２）。
【００７０】
メタデータ算出部１４は各フレームの加算データ及び減算データをメタデータとして変換部１１１へ出力する（ステップＳ７１３）。変換部１１１の上下限変換部１１１０はメモリから下限値を読み出す。上下限変換部１１１０は読み出した下限値よりも小さい加算データ及び減算データの絶対値を零に変換する（ステップＳ７１４）。変換部１１１の上下限変換部１１１０はメモリから上限値を読み出す。上下限変換部１１１０は読み出した上限値を超える加算データ及び減算データの絶対値を上限値または上限値未満の値に変換する（ステップＳ７１５）。上下限変換部１１１０は、ステップＳ７１５にて変換する前の加算データ及び減算データに予め付与されていた絶対値算出前の符号を、ステップＳ７１５にて変換された加算データ及び減算データ（上限値または上限値未満の値）に付加する（ステップＳ７１６）。変換部１１１の整数変換部１１１１は正負の値を持つ加算データ及び減算データを整数に変換する（ステップＳ８１）。
【００７１】
変換部１１１は変換後の各フレームの加算データ及び減算データをメタデータとして、メタデータ付加部１５へ出力する（ステップＳ８２）。メタデータ付加部１５は図示しないメモリに記憶された当該メタデータ算出器１に係る局ＩＤ及び機器ＩＤを読み出し、メタデータ算出部１４から出力されたメタデータに付加する（ステップＳ８３）。メタデータ付加部１５はステップＳ８３で特定データが付加されたメタデータに、メタデータ保持部１３から出力された前段のメタデータ算出器１に係るメタデータ及び特定データを付加する（ステップＳ８４）。メタデータ付加部１５は前段にある局ＩＤまたは機器ＩＤが上位となるよう、例えば、局ＩＤまたは機器ＩＤの数値が小さい順に各メタデータ及び特定データをソートし、図６に示すメタデータ及び特定データ群を生成する。
【００７２】
メタデータ付加部１５はメタデータ及び特定データを付加部１７へ出力する（ステップＳ８５）。付加部１７はデマルチプレクサ１１から出力された音声データに、メタデータ付加部１５から出力されたメタデータ及び特定データを付加する（ステップＳ８６）。付加部１７は映像データと共にエンコードされた音声データ、メタデータ及び特定データを送信部１８へ出力する（ステップＳ８７）。送信部１８は映像データ、音声データ、メタデータ及び特定データを後段のメタデータ算出器１へ送信する（ステップＳ８８）。
【００７３】
実施の形態２
実施の形態２はメタデータ算出部１４が実効値（ＲＭＳＶ：Root Mean Square Value）を算出する形態に関する。図１７は実施の形態２に係るメタデータ算出器１のハードウェア構成を示すブロック図である。実施の形態１に対し、メタデータ算出部１４及び変換部１１１の構成が相違する。メタデータ算出部１４は第１実効値算出部である左実効値算出部１４３及び第２実効値算出部である右実効値算出部１４４を含む。左実効値算出部１４３はＨＰＦ１１０から出力された左音声データの実効値を式（７）に基づき算出し、変換部１１１へ出力する。左音声データの１フレーム目の実効値（ＬＡＲＩ）（１）は、式（７）で表すことができる。なお以下では実効値を場合によりＡＲＩ（Audio root-mean-square information）と称する。
【００７４】
【数５】
2010091980.tif 000007
【００７５】
また右音声データの１フレーム目の実効値（ＲＡＲＩ）（１）は、式（８）で表すことができる。
【００７６】
【数６】
2010091980.tif 000008
【００７７】
メタデータ算出部１４で算出された各フレームの左音声データ及び右音声データの実効値を変換部１１１へ出力する。変換部１１１は入力された左音声データ及び右音声データの実効値の対数に基づき変換する。変換部１１１は対数変換部１１１２及び整数変換部１１１３を含む。対数変換部１１１２は各フレームの左音声データ及び右音声データの実効値の対数を式（９）及び式（１０）に基づき算出する。
L=ｋ×log10(LARI(i))    ・・・（９）
R=k×log10(RARI(i))    ・・・（１０）
【００７８】
左音声データの対数Ｌは、式（９）に示す如く、各フレームの左音声データの実効値の対数に係数ｋを乗じて得ることができる。また、右音声データの対数Ｒは、式（１０）に示す如く、各フレームの右音声データの実効値の対数に係数ｋを乗じて得ることができる。なおこの係数ｋは例えば５０とすれば良い。整数変換部１１１３は式（９）及び式（１０）で得られた右音声データの対数及び左音声データの対数の小数点以下を切り捨て、切り上げ、または四捨五入等することにより整数化する。変換部１１１により変換された後の左音声データ及び右音声データの対数に係る実効値はメタデータ付加部１５へ出力される。
【００７９】
図１８は音声データの実効値の時間的変化を示すグラフである。図１８の横軸はフレームであり、縦軸は左音声データの実効値を示す。音声データは女性アナウンスを数秒間録音したものを用いた。実効値は縦軸に示す如く０から約８０００までの値をとるため伝送の際、情報量が大きくなる。そのため本実施の形態においては対数をとり、さらに整数化することで情報量の低減を図ることが可能となる。
【００８０】
図１９は音声データの実効値に係る対数の時間的変化を示すグラフである。図１９の横軸はフレームであり、縦軸は左音声データの実効値の係数を示す。本実施の形態においては式（７）における係数ｋを５０とした。その結果、実効値の対数は０から２５５の範囲の整数値内に属し、実施の形態１と同じくメタデータを８ビットの情報量に収めることが可能となる。このように、対数変換、係数乗算及び整数化の一連の処理を経ることで、実施の形態１と同じビット数に情報量を設定することが可能となる。
【００８１】
なお、係数ｋは変換部１１１が動的に変化させるようにしても良い。対数変換部１１１２で得た左音声データの対数の最大値または右音声データの対数の最大値のｋ倍が、予め定めた上限値、例えば２５５、に最も近づくよう係数ｋを算出する。具体的には、上限値を、対数変換部１１１２から出力される左音声データの対数の最大値または右音声データの対数の最大値で除した値を係数ｋとすれば良い。
【００８２】
図２０はメタデータ算出処理及び変換処理の手順を示すフローチャートである。実施の形態１で述べたステップＳ７１０の処理後以下の処理を実行する。左実効値算出部１４３は各フレームの左音声データに係る実効値を算出する（ステップＳ２０１）。同様に右実効値算出部１４４は右音声データに係る実効値を算出する（ステップＳ２０２）。メタデータ算出部１４は、算出した各フレームの左音声データ及び右音声データに係る実効値を変換部１１１へ出力する（ステップＳ２０３）。変換部１１１の対数変換部１１１２は、左音声データ及び右音声データに係る実効値の対数を算出する（ステップＳ２０４）。
【００８３】
対数変換部１１１２はメモリ（図示せず）から予め記憶した係数ｋを読み出す（ステップＳ２０５）。対数変換部１１１２は対数に係数ｋを乗じる（ステップＳ２０６）。整数変換部１１１３は乗算後の左音声データ及び右音声データの実効値に係る対数を整数化する（ステップＳ２０７）。最後に変換部１１１は、整数化した各フレームの左音声データ及び右音声データの実効値に係る対数を、メタデータとしてメタデータ付加部１５へ出力する（ステップＳ２０８）。なお、以降の処理はステップＳ８３以降と同様であるので詳細な説明は省略する。
【００８４】
本実施の形態２は以上の如き構成としてあり、その他の構成及び作用は実施の形態１と同様であるので、対応する部分には同一の参照番号を付してその詳細な説明を省略する。
【００８５】
実施の形態３
実施の形態３は複数の形式に係るメタデータを送信する形態に関する。図２１は実施の形態３に係るメタデータ算出器１のハードウェア構成を示すブロック図である。ＨＰＦ１１０の出力には選択部１１２の制御に従いオンまたはオフするスイッチＳ１及びスイッチＳ２が設けられている。選択部１１２は例えばメタデータ算出器１の筐体（図示せず）の外面に設けられるスイッチ等である。選択部１１２は加算データ及び減算データをメタデータとして用いるか、或いは、実効値をメタデータとして用いるかのいずれかを択一的に選択する事ができる。選択部１１２により加算データ及び減算データをメタデータとする選択（以下第１選択という）がなされた場合、選択部１１２はスイッチＳ１をオン、スイッチＳ２をオフとなるよう制御する。
【００８６】
この場合ＨＰＦ１１０から出力される左音声データ及び右音声データはスイッチＳ１を経由して加算部１４１及び減算部１４２を備えるメタデータ算出部１４へ出力される。以下では、加算部１４１及び減算部１４２を備えるメタデータ算出部１４側を第１選択側Ｓ１０という。一方、左実効値算出部１４３及び右実効値算出部１４４を備えるメタデータ算出部１４へは出力されない。以下では、左実効値算出部１４３及び右実効値算出部１４４を備えるメタデータ算出部１４側を第２選択側Ｓ２０という。
【００８７】
第１選択側Ｓ１０における変換部１１１により変換処理がなされた加算データ及び減算データはメタデータ付加部１５へ出力される。選択部１１２はメタデータの種類を示す情報をメタデータ付加部１５へ出力する。具体的には「第１」の情報を送信する。選択部１１２により実効値をメタデータとする選択（以下第２選択という）がなされた場合、選択部１１２はスイッチＳ１をオフ、スイッチＳ２をオンとなるよう制御する。
【００８８】
この場合ＨＰＦ１１０から出力される左音声データ及び右音声データはスイッチＳ２を経由して第２選択側Ｓ２０のメタデータ算出部１４へ出力される。第２選択側Ｓ２０における変換部１１１により変換処理がなされた左音声データ及び右音声データに係る実効値の対数はメタデータ付加部１５へ出力される。選択部１１２はメタデータの種類を示す情報をメタデータ付加部１５へ出力する。具体的には「第２」の情報を送信する。
【００８９】
メタデータ付加部１５には識別子付加部１５１が設けられている。識別子付加部１５１は特定データとして付加されるメタデータの種類を新たに付加する。図２２は実施の形態３に係るメタデータ及び特定データのデータ構造を示す説明図である。図２２（ａ）は第１選択がなされた場合のメタデータ及び特定データのデータ構造を示す説明図である。特定データとして付加される機器ＩＤの後段にメタデータの種類を示す情報が新たに付加される。検証の際にはこの特定データ内に記述されたメタデータの種類を参照し、メタデータの分析を行う。図２２（ａ）の例では、メタデータの種類として第１選択を示す「第１」が付加されている。
【００９０】
図２２（ｂ）は第２選択がなされた場合のメタデータ及び特定データのデータ構造を示す説明図である。図２２（ｂ）の例では、メタデータの種類として第２選択を示す「第２」が付加されている。図２２（ｂ）に示すように、局ＩＤが「０１」のメタデータ算出器１ではメタデータの種類「第１」が付加されており、局ＩＤが「０５」のメタデータ算出器１ではメタデータの種類「第２」が付加されていることが理解できる。加算データ及び減算データに係るメタデータを用いたノイズ分析、または、実効値に係るメタデータを用いたノイズ分析の精度は通信環境、機器特性及び音声の種類等により、優劣が存在するため、いずれかを択一的に選択できる構成としたものである。メタデータ付加部１５はメタデータ及び特定データを付加部１７へ出力する。
【００９１】
図２３及び図２４は実施の形態３に係るメタデータ付加処理の手順を示すフローチャートである。予め選択部１１２は第１選択または第２選択を受け付ける（ステップＳ２３１）。選択部１１２は第１選択を受け付けたか否かを判断する（ステップＳ２３２）。選択部１１２は第１選択を受け付けたと判断した場合（ステップＳ２３２でＹＥＳ）、スイッチＳ１をオン、スイッチＳ２をオフとする（ステップＳ２３３）。続いて実施の形態１のステップＳ７１乃至ステップＳ７９以降以下の処理を実行する。
【００９２】
ＨＰＦ１１０はスイッチＳ１を介して、左音声データ及び右音声データを第１選択側Ｓ１０のメタデータ算出部１４へ出力する（ステップＳ２３４）。変換部１１１は変換後の加算データ及び減算データをメタデータとしてメタデータ付加部１５へ出力する（ステップＳ２３５）。なお、ステップＳ２３４及びＳ２３５の詳細は実施の形態１で述べたとおりであるので説明を省略する。選択部１１２はメタデータの種類を示す情報をメタデータ付加部１５へ出力する（ステップＳ２３６）。
【００９３】
選択部１１２は第１選択を受け付けていないと判断した場合（ステップＳ２３２でＮＯ）、スイッチＳ１をオフ、スイッチＳ２をオンとする（ステップＳ２３７）。続いて実施の形態１のステップＳ７１乃至ステップＳ７９以降以下の処理を実行する。ＨＰＦ１１０はスイッチＳ２を介して、左音声データ及び右音声データを第２選択側Ｓ２０のメタデータ算出部１４へ出力する（ステップＳ２３８）。変換部１１１は変換後の左音声データ及び右音声データの実効値に係る対数をメタデータとしてメタデータ付加部１５へ出力する（ステップＳ２３９）。なお、ステップＳ２３８及びＳ２３９の詳細は実施の形態２で述べたとおりであるので説明を省略する。選択部１１２はメタデータの種類を示す情報をメタデータ付加部１５へ出力する（ステップＳ２４１）。
【００９４】
メタデータ付加部１５は図示しないメモリに記憶された当該メタデータ算出器１に係る局ＩＤ及び機器ＩＤを読み出す。識別子付加部１５１は、選択部１１２から出力されたメタデータの種類、及び局ＩＤ及び機器ＩＤを特定データとして、メタデータ算出部１４から出力されたメタデータに付加する（ステップＳ２４２）。メタデータ付加部１５はステップＳ２４２で特定データが付加されたメタデータに、メタデータ保持部１３から出力された前段のメタデータ算出器１に係るメタデータ及び特定データを付加する（ステップＳ２４３）。
【００９５】
メタデータ付加部１５は前段にある局ＩＤまたは機器ＩＤが上位となるよう、例えば、局ＩＤまたは機器ＩＤの数値が小さい順に各メタデータ及び特定データをソートし、図２２に示すメタデータ及び特定データ群を生成する。メタデータ付加部１５はメタデータ及び特定データを付加部１７へ出力する（ステップＳ２４４）。以降の処理は実施の形態１のステップＳ８６以降と同様であるので詳細な説明を省略する。このように、複数のメタデータ算出部１４を設け択一的に選択できるようにしたので、通信環境、符号化及び復号処理の種類、機器特性または音声データの種類等に応じてより好適なメタデータ算出部１４を活用することが可能となる。
【００９６】
本実施の形態３は以上の如き構成としてあり、その他の構成及び作用は実施の形態１及び２と同様であるので、対応する部分には同一の参照番号を付してその詳細な説明を省略する。
【００９７】
実施の形態４
実施の形態４は複数種類のメタデータをあわせて付加する形態に関する。選択部１１２は、第１選択側Ｓ１０、第２選択側Ｓ２０、または、第１選択側Ｓ１０及び第２選択側Ｓ２０のいずれか３つを選択する事ができる。第１選択側Ｓ１０及び第２選択側Ｓ２０を選択した場合、選択部１１２は、スイッチＳ１及びスイッチＳ２が共にオンとなるよう制御する。この場合ＨＰＦ１１０は左音声データ及び右音声データをスイッチＳ１及びＳ２を介して、第１選択側Ｓ１０及び第２選択側Ｓ２０のメタデータ算出部１４双方に出力する。
【００９８】
選択部１１２は、メタデータの種類を示す情報をメタデータ付加部１５へ出力する。この場合、選択部１１２は例えば「第１及び第２」の情報を送信する。なお、本実施の形態においては、選択部１１２による選択を経て第１選択側Ｓ１０及び第２選択側Ｓ２０の双方に係るメタデータを付加する形態を説明するがこれに限るものではない。選択部１１２を設けることなく、常時ＨＰＦ１１０から左音声データ及び右音声データを第１選択側Ｓ１０のメタデータ算出部１４及び第２選択側Ｓ２０のメタデータ算出部１４へ出力するようにしても良い。
【００９９】
メタデータ付加部１５の識別子付加部１５１は、選択部１１２からメタデータの種類を示す情報として「第１及び第２」が出力された場合、第１選択側Ｓ１０のメタデータ及び第２選択側Ｓ２０のメタデータそれぞれにメタデータの種類を示す情報を付加する。図２５は実施の形態４に係るメタデータ及び特定データのデータ構造を示す説明図である。識別子付加部１５１は第１選択側Ｓ１０の変換部１１１から出力されたメタデータに、メタデータの種類を示す情報「第１」を付加する。図２５の例では加算データ及び減算データに係るメタデータの特定データとして「第１」が付加されている。
【０１００】
同様に、識別子付加部１５１は第２選択側Ｓ２０の変換部１１１から出力されたメタデータに、メタデータの種類を示す情報「第２」を付加する。図２５の例では、左音声データ及び右音声データの対数に係るメタデータの特定データとして「第２」が付加されている。メタデータ付加部１５はメモリから局ＩＤ及び機器ＩＤを読み出し、特定データとしてメタデータに付加する。
【０１０１】
メタデータ付加部１５は図２５に示す如く、局ＩＤ及び機器ＩＤの後段に、第１選択側Ｓ１０のメタデータの種類及びメタデータ、さらにその後段に、第２選択側Ｓ２０のメタデータの種類及びメタデータを連結する。なお、本実施の形態で述べた特定データ及びメタデータのデータ構造はあくまで一例であり、これに限るものではない。メタデータの種類及び局ＩＤまたは機器ＩＤを特定できる形態であれば、この順序に限るものではない。      
【０１０２】
図２６乃至２８は実施の形態４に係るメタデータ付加処理の手順を示すフローチャートである。選択部１１２は第１選択、第２選択、または、第１選択及び第２選択のいずれかを受け付ける（ステップＳ２６１）。選択部１１２は第１選択を受け付けたか否かを判断する（ステップＳ２６２）。選択部１１２は第１選択を受け付けたと判断した場合（ステップＳ２６２でＹＥＳ）、スイッチＳ１をオン、スイッチＳ２をオフとする（ステップＳ２６３）。これ以降はステップＳ２３４以降の処理を実行し（ステップＳ２６４）、一連の処理を終了する。
【０１０３】
選択部１１２は第１選択を受け付けていないと判断した場合（ステップＳ２６２でＮＯ）、第１選択及び第２選択の双方を受け付けたか否かを判断する（ステップＳ２６５）。選択部１１２は第１選択及び第２選択の双方を受け付けていないと判断した場合（ステップＳ２６５でＮＯ）、第２選択を受け付けたとしてスイッチＳ１をオフ、スイッチＳ２をオンとする（ステップＳ２６６）。これ以降はステップＳ２３８以降の処理を実行し（ステップＳ２６７）、一連の処理を終了する。選択部１１２は第１選択及び第２選択の双方を受け付けたと判断した場合（ステップＳ２６５でＹＥＳ）、スイッチＳ１をオン、スイッチＳ２をオンとする（ステップＳ２６８）。続いて実施の形態１のステップＳ７１乃至ステップＳ７９以降以下の処理を実行する。
【０１０４】
選択部１１２はメタデータの種類を示す情報をメタデータ付加部１５へ出力する（ステップＳ２６９）。ＨＰＦ１１０はスイッチＳ１を介して、左音声データ及び右音声データを第１選択側Ｓ１０のメタデータ算出部１４へ出力する（ステップＳ２７１）。変換部１１１は変換後の加算データ及び減算データをメタデータとしてメタデータ付加部１５へ出力する（ステップＳ２７２）。識別子付加部１５１はステップＳ２６９で出力されたメタデータの種類を参照し、メタデータにメタデータの種類を特定データとして付加する（ステップＳ２７３）。具体的には、識別子付加部１５１は加算データ及び減算データに係るメタデータの前段に特定データとして第１選択側Ｓ１０を示す「第１」を付加する。
【０１０５】
さらに、ＨＰＦ１１０はスイッチＳ２を介して、左音声データ及び右音声データを第２選択側Ｓ２０のメタデータ算出部１４へ出力する（ステップＳ２７４）。変換部１１１は変換後の左音声データ及び右音声データの実効値に係る対数をメタデータとしてメタデータ付加部１５へ出力する（ステップＳ２７５）。識別子付加部１５１はステップＳ２６９で出力されたメタデータの種類を参照し、メタデータにメタデータの種類を特定データとして付加する（ステップＳ２７６）。具体的には、識別子付加部１５１は左音声データ及び右音声データの対数に係るメタデータの前段に特定データとして第２選択側Ｓ２０を示す「第２」を付加する。
【０１０６】
識別子付加部１５１はステップＳ２７３で付加した第１選択側Ｓ１０のメタデータの種類及びメタデータ後段に、ステップＳ２７６で付加した第２選択側Ｓ２０のメタデータの種類及びメタデータを連結する（ステップＳ２７７）。メタデータ付加部１５はメモリから局ＩＤ及び機器ＩＤを読み出す（ステップＳ２７８）。メタデータ付加部１５は読み出した局ＩＤ及び機器ＩＤを特定データとしてステップＳ２７７で連結した特定データ及びメタデータの前段に付加する（ステップＳ２７９）。これにより、図２５で示した局ＩＤ（０５）の特定データ及びメタデータが完成する。
【０１０７】
メタデータ付加部１５はさらに、ステップＳ２７９で特定データが付加されたメタデータに、メタデータ保持部１３から出力された前段のメタデータ算出器１に係るメタデータ及び特定データを付加する（ステップＳ２８１）。メタデータ付加部１５はメタデータ及び特定データを付加部１７へ出力する（ステップＳ２８２）。このように、変換部１１１により情報量を削減したので、複数種類のメタデータをあわせて送信することが可能となる。その結果、通信環境、符号化及び復号処理の種類、機器特性または音声データの種類等にかかわらず、複数のメタデータを利用してより精度良くノイズを検出することが可能となる。
【０１０８】
本実施の形態４は以上の如き構成としてあり、その他の構成及び作用は実施の形態１乃至３と同様であるので、対応する部分には同一の参照番号を付してその詳細な説明を省略する。
【０１０９】
実施の形態５
実施の形態１乃至４に係る処理を図２９で示したコンピュータを用いてソフトウェア処理として実現するようにしても良い。図２９は実施の形態５に係るメタデータ算出器１のハードウェア構成を示すブロック図である。コンピュータ１０はＣＰＵ（Central Processing Unit）１０１、ＲＡＭ（Random Access Memory）１０２、ハードディスク等の記憶部１０５、インターフェースたるＩ／Ｆ１０６、１０８、及び通信部１０９等を含んで構成される。ＣＰＵ１０１はバス１０７を介して各ハードウェアに接続されており、記憶部１０５に記憶した処理プログラム１０５Ｐに従い、上述した各種ソフトウェア処理を実行する。
【０１１０】
コンピュータ１０を動作させるためのプログラムは、ＣＤ−ＲＯＭ、ＭＯ、またはＤＶＤ−ＲＯＭ等の可搬型記録媒体１Ａで提供することも可能である。さらに、当該プログラムを、無線ＬＡＮカード等の通信部１０９を介して図示しないサーバコンピュータからダウンロードすることも可能である。以下に、その内容を説明する。
【０１１１】
図２９に示すコンピュータ１０の図示しないリーダ／ライタに、加算データを算出させ、減算データを算出させ、メタデータを付加させる等のプログラムが記録された可搬型記録媒体１Ａ（ＣＤ−ＲＯＭ、ＭＯ又はＤＶＤ−ＲＯＭ等）を、挿入して記憶部１０５の処理プログラム１０５Ｐ内にこのプログラムをインストールする。または、かかるプログラムを、通信部１０９を介して外部の図示しないサーバコンピュータからダウンロードし、記憶部１０５にインストールするようにしても良い。かかるプログラムはＲＡＭ１０２にロードして実行される。これにより、デマルチプレクサ１１からＩ／Ｆ１０６を介して音声データ、メタデータ及び特定データが入力され、実施の形態１乃至４で述べた処理が実行される。処理後のメタデータ及び特定データが付加された音声データは、Ｉ／Ｆ１０８を介して送信部１８へ出力される。
【０１１２】
本実施の形態５は以上の如き構成としてあり、その他の構成及び作用は実施の形態１乃至４と同様であるので、対応する部分には同一の参照番号を付してその詳細な説明を省略する。
【０１１３】
以上の実施の形態１乃至５を含む実施形態に関し、さらに以下の付記を開示する。
【０１１４】
（付記１）
音声音響信号を受信し、受信した音声音響信号を送信する送受信装置において、
受信した音声音響信号に係る第１音声音響信号及び第２音声音響信号を抽出する抽出部と、
該抽出部により抽出した第１音声音響信号及び第２音声音響信号から所定周波数以上の周波数成分を抽出するハイパスフィルタと、
該ハイパスフィルタにより抽出された周波数成分に係る第１音声音響信号及び第２音声音響信号の時系列の和信号に関する値を算出し、算出した値の所定時間分の累積加算値に基づく加算データを算出する加算部と、
前記ハイパスフィルタにより抽出された周波数成分に係る第１音声音響信号及び第２音声音響信号の時系列の差信号に関する値を算出し、算出した値の所定時間分の累積加算値に基づく減算データを算出する減算部と、
前記ハイパスフィルタにより抽出された周波数成分に係る第１音声音響信号の時系列の第１実効値を算出する第１実効値算出部と、
前記ハイパスフィルタにより抽出された周波数成分に係る第２音声音響信号の時系列の第２実効値を算出する第２実効値算出部と、
加算データ及び減算データに基づくメタデータ、または、第１実効値及び第２実効値に基づくメタデータのいずれかを選択する選択部と、
前記選択部により加算データ及び減算データに基づくメタデータが選択された場合に、前記加算部及び減算部により算出した加算データ及び減算データをメタデータとして受信した音声音響信号に付加し、前記選択部により第１実効値及び第２実効値に基づくメタデータが選択された場合に、前記第１実効値算出部及び第２実効値算出部により算出した第１実効値及び第２実効値をメタデータとして受信した音声音響信号に付加する付加部と、
該付加部によりメタデータが付加された音声音響信号を外部へ送信する送信部と
を備えることを特徴とする送受信装置。
【０１１５】
（付記２）
音声音響信号を受信し、受信した音声音響信号を送信する送受信装置において、
受信した音声音響信号に係る第１音声音響信号及び第２音声音響信号を抽出する抽出部と、
該抽出部により抽出した第１音声音響信号及び第２音声音響信号から所定周波数以上の周波数成分を抽出するハイパスフィルタと、
該ハイパスフィルタにより抽出された周波数成分に係る第１音声音響信号及び第２音声音響信号の時系列の和信号に関する値を算出し、算出した値の所定時間分の累積加算値に基づく加算データを算出する加算部と、
前記ハイパスフィルタにより抽出された周波数成分に係る第１音声音響信号及び第２音声音響信号の時系列の差信号に関する値を算出し、算出した値の所定時間分の累積加算値に基づく減算データを算出する減算部と、
前記ハイパスフィルタにより抽出された周波数成分に係る第１音声音響信号の時系列の第１実効値を算出する第１実効値算出部と、
前記ハイパスフィルタにより抽出された周波数成分に係る第２音声音響信号の時系列の第２実効値を算出する第２実効値算出部と、
前記加算部及び減算部により算出した加算データ及び減算データ、並びに、前記第１実効値算出部及び第２実効値算出部により算出した第１実効値及び第２実効値をメタデータとして受信した音声音響信号に付加する付加部と、
該付加部によりメタデータが付加された音声音響信号を外部へ送信する送信部と
を備えることを特徴とする送受信装置。
【０１１６】
（付記３）
音声音響信号を受信し、受信した音声音響信号を送信する送受信装置において、
受信した音声音響信号に係る第１音声音響信号及び第２音声音響信号を抽出する抽出部と、
該抽出部により抽出した第１音声音響信号及び第２音声音響信号から所定周波数以上の周波数成分を抽出するハイパスフィルタと、
該ハイパスフィルタにより抽出された周波数成分に係る第１音声音響信号及び第２音声音響信号の時系列の和信号に関する値を算出し、算出した値の所定時間分の累積加算値に基づく加算データを算出する加算部と、
前記ハイパスフィルタにより抽出された周波数成分に係る第１音声音響信号及び第２音声音響信号の時系列の差信号に関する値を算出し、算出した値の所定時間分の累積加算値に基づく減算データを算出する減算部と、
前記ハイパスフィルタにより抽出された周波数成分に係る第１音声音響信号の時系列の第１実効値を算出する第１実効値算出部と、
前記ハイパスフィルタにより抽出された周波数成分に係る第２音声音響信号の時系列の第２実効値を算出する第２実効値算出部と、
加算データ及び減算データに基づくメタデータ、第１実効値及び第２実効値に基づくメタデータ、または、加算データ及び減算データに基づくメタデータ並びに第１実効値及び第２実効値に基づくメタデータ、のいずれかを選択する選択部と、
前記選択部により加算データ及び減算データに基づくメタデータが選択された場合に、前記加算部及び減算部により算出した加算データ及び減算データをメタデータとして受信した音声音響信号に付加し、前記選択部により第１実効値及び第２実効値に基づくメタデータが選択された場合に、前記第１実効値算出部及び第２実効値算出部により算出した第１実効値及び第２実効値をメタデータとして受信した音声音響信号に付加し、前記選択部により加算データ及び減算データに基づくメタデータ並びに第１実効値及び第２実効値に基づくメタデータが選択された場合に、前記加算部及び減算部により算出した加算データ及び減算データ並びに前記第１実効値算出部及び第２実効値算出部により算出した第１実効値及び第２実効値をメタデータとして受信した音声音響信号に付加する付加部と、
該付加部によりメタデータが付加された音声音響信号を外部へ送信する送信部と
を備えることを特徴とする送受信装置。
【図面の簡単な説明】
【０１１７】
【図１】伝送システムの概要を示す模式図である。
【図２】メタデータ算出器のハードウェア構成を示すブロック図である。
【図３】係数Ａの値を示すテーブルである。
【図４】ＨＰＦの構成を示すブロック図である。
【図５】左音声データ及び右音声データの時間的変化を模式的に示すグラフである。
【図６】ＨＰＦによる処理を経ない場合の加算データの時間的変化を示すグラフである。
【図７】ＨＰＦによる処理を経た場合の加算データの時間的変化を示すグラフである。
【図８】ＨＰＦによる処理を経ない場合の減算データの時間的変化を示すグラフである。
【図９】ＨＰＦによる処理を経た場合の減算データの時間的変化を示すグラフである。
【図１０】各符号化及び復号処理を経た加算データの時間的変化を示すグラフである。
【図１１】各符号化及び復号処理を経た減算データの時間的変化を示すグラフである。
【図１２】メタデータ保持部のレコードレイアウトを示す説明図である。
【図１３】メタデータ及び特定データのデータ構造を示す説明図である。
【図１４】メタデータ算出処理及び付加処理の手順を示すフローチャートである。
【図１５】メタデータ算出処理及び付加処理の手順を示すフローチャートである。
【図１６】メタデータ算出処理及び付加処理の手順を示すフローチャートである。
【図１７】実施の形態２に係るメタデータ算出器のハードウェア構成を示すブロック図である。
【図１８】音声データの実効値の時間的変化を示すグラフである。
【図１９】音声データの実効値に係る対数の時間的変化を示すグラフである。
【図２０】メタデータ算出処理及び変換処理の手順を示すフローチャートである。
【図２１】実施の形態３に係るメタデータ算出器のハードウェア構成を示すブロック図である。
【図２２】実施の形態３に係るメタデータ及び特定データのデータ構造を示す説明図である。
【図２３】実施の形態３に係るメタデータ付加処理の手順を示すフローチャートである。
【図２４】実施の形態３に係るメタデータ付加処理の手順を示すフローチャートである。
【図２５】実施の形態４に係るメタデータ及び特定データのデータ構造を示す説明図である。
【図２６】実施の形態４に係るメタデータ付加処理の手順を示すフローチャートである。
【図２７】実施の形態４に係るメタデータ付加処理の手順を示すフローチャートである。
【図２８】実施の形態４に係るメタデータ付加処理の手順を示すフローチャートである。
【図２９】実施の形態５に係るメタデータ算出器のハードウェア構成を示すブロック図である。
【符号の説明】
【０１１８】
１      メタデータ算出器
１Ａ    可搬型記録媒体
１１    デマルチプレクサ
１２    抽出部
１３    メタデータ保持部
１４    メタデータ算出部
１５    メタデータ付加部
１７    付加部
１８    送信部
１１０  ＨＰＦ
１１２  選択部
１４１  加算部
１４２  減算部
１４３  左実効値算出部
１４４  右実効値算出部
１５１  識別子付加部
１１１０  上下限変換部
１１１１、１１１３  整数変換部
１１１２  対数変換部
Ｓ１  スイッチ
Ｓ２  スイッチ
【図１】
2010091980.tif 000009
【図２】
2010091980.tif 000010
【図３】
2010091980.tif 000011
【図４】
2010091980.tif 000012
【図５】
2010091980.tif 000013
【図６】
2010091980.tif 000014
【図７】
2010091980.tif 000015
【図８】
2010091980.tif 000016
【図９】
2010091980.tif 000017
【図１０】
2010091980.tif 000018
【図１１】
2010091980.tif 000019
【図１２】
2010091980.tif 000020
【図１３】
2010091980.tif 000021
【図１４】
2010091980.tif 000022
【図１５】
2010091980.tif 000023
【図１６】
2010091980.tif 000024
【図１７】
2010091980.tif 000025
【図１８】
2010091980.tif 000026
【図１９】
2010091980.tif 000027
【図２０】
2010091980.tif 000028
【図２１】
2010091980.tif 000029
【図２２】
2010091980.tif 000030
【図２３】
2010091980.tif 000031
【図２４】
2010091980.tif 000032
【図２５】
2010091980.tif 000033
【図２６】
2010091980.tif 000034
【図２７】
2010091980.tif 000035
【図２８】
2010091980.tif 000036
【図２９】
2010091980.tif 000037